(57)【要約】【課題】壁の表面に固定された縦胴縁に、外装材をその上端が縦胴縁の上端より下方に位置するようにして位置決めして仮取付けできる外装材取付治具を提供する。【解決手段】縦胴縁３の上端面に載置される支持部１０と、下端面に外装材の上端面が当接されることで、支持部１０に対する外装材４の上端の位置を位置決めする位置決め部１１と、位置決め部１１の下端面に上端面が当接された外装材４をその裏面側から受ける受け面１２を備えた受部１２と、位置決め部１１に設けられて、外装材４を受け面１２ａに押圧固定する押圧固定部１３とを備えたので、外装材４が位置決めされて取り付けられた外装材取付け治具１の支持部１０を、壁表面に固定されている縦胴縁３の上端面に載置することによって、外装材４をその上端が縦胴縁３の上端より下方に位置するようにして位置決めして仮取付けできる。【選択図】図１
2010265587.tif 000002
【特許請求の範囲】
【請求項１】
壁の表面に固定された縦胴縁に、外装材をその上端が前記縦胴縁の上端より下方に位置するようにして位置決めして仮取付けする外装材取付治具であって、
前記縦胴縁の上端面に載置される支持部と、
前記支持部より下方に突出して設けられ、下端面に外装材の上端面が当接されることで、前記支持部に対する前記外装材の上端の位置を位置決めする位置決め部と、
前記位置決め部より下方に突出して設けられ、前記位置決め部の下端面に上端面が当接された前記外装材をその裏面側から受ける受け面を備えた受部と、
前記支持部または前記位置決め部に設けられて、前記外装材を前記受け面に押圧固定する押圧固定部とを備えていることを特徴とする外装材取付治具。 
【請求項２】
請求項１に記載の外装材取付治具において、
前記押圧固定部は、前記受部に対向離間して設けられた対向部と、
この対向部に、前記受け面に対して接離可能に設けられた接離部材と、
この接離部材の先端部に設けられて、前記対向部と前記受部との間に挿入された外装材の上端部を前記受け面に押圧可能な押圧部とを備えていることを特徴とする外装材取付治具。 
【請求項３】
請求項１に記載の外装材取付治具において、
前記押圧固定部は、前記支持部または位置決め部に、一端部を支点として回動自在に取り付けられ、回動することによって他端部が前記受け面に接離可能な回動レバーと、
この回動レバーの他端部に設けられて、前記外装材の上端部を前記受け面に押圧する押圧部とを備えていることを特徴とする外装材取付治具。 
【請求項４】
請求項２または３に記載の外装材取付治具において、
前記支持部は、前記壁の表面に固定された隣り合う縦胴縁間の距離より長いことを特徴とする外装材取付治具。 
【請求項５】
請求項１〜４のいずれかに記載の外装材取付治具を用いて、外装材を壁に仮取付けする外装材の取付け方法であって、
まず、前記外装材取付治具に、前記外装材を、その上端面を前記位置決め部の下端面に当接させた状態で、前記押圧固定部によって前記受け面に押圧固定することにより取り付けておき、
前記壁表面に複数の縦胴縁を左右に所定間隔で、かつ上端位置を揃えて固定した後、前記外装材が取付けられた前記外装材取付治具の支持部を前記縦胴縁の上端面に載置することで、前記外装材を前記壁に仮取付けすることを特徴とする外装材の取付け方法。
【発明の詳細な説明】
【技術分野】
【０００１】
本発明は、壁の表面に固定された縦胴縁に、外装材の上端部を前記縦胴縁の上端より下方位置で位置決めして仮取付けする外装材取付治具および外装材の取付け方法に関する。
【背景技術】
【０００２】
住宅の建築については、その工業化が進み、例えば、壁や床、屋根といった構成要素を予め工場にてパネル化しておき、施工現場でこれらのパネルを組み立てることにより、住宅を構築するといったパネル工法が一部に採用されている。さらに、近年、パネル工法についての工業化が進んでおり、工場等において予め外装材を壁パネルに取付けておき、この外装材付き壁パネルを建築現場で組み立てることも行われている。
壁パネルに外装材を取付ける場合、例えば壁パネルの表面に横胴縁を取り付け、この横胴縁に外装材を釘等によって固定することで行われている。このように、壁パネルに横胴縁を介して外装材を取付ける場合、壁パネルの下端を外装材の取付基準位置としているが、例えば、壁パネルの表面に下屋を取付ける場合には、外装材の取付基準位置を壁パネルの下端に設定することができない。
【０００３】
そこで、壁体の表面における所定の位置に外装材を位置決めして仮取付けすることができる外装材取付治具の一例として、特許文献１に記載のものが知られている。
この外装材取付治具は、壁体の表面に固定された横胴縁の上面に載置される支持部と、この支持部に設けられて、外装材の上端が前記横胴縁より上方で当接されることで、前記支持部の下端に対する前記外装材の上端の位置を位置決めする位置決め部と、前記位置決め部に設けられて、前記外装材を、その上端が前記位置決め部に当接した状態で、前記支持部の固定面に固定する固定具とを備えていることを特徴するものである。
このような外装材取付治具では、外装材を、支持部の固定面に載置するとともに、この外装材の上端を位置決め部に当接した状態で、固定具によって外装材を固定面に固定することによって、外装材を位置決めして外装材取付治具に固定することができる。したがって、外装材が固定された外装材取付治具の支持部を、横胴縁の上面に載置することによって、壁体の表面における所定の位置に外装材を位置決めして、仮取付けすることができる。
【先行技術文献】
【特許文献】
【０００４】
【特許文献１】特開２００１−３２４９８号公報
【発明の概要】
【発明が解決しようとする課題】
【０００５】
ところで、壁に外装材を取り付ける場合、前記横胴縁に替えて縦胴縁を壁の表面に固定するとともに、この縦胴縁に、外装材をその上端が前記縦胴縁の上端より下方に位置するようにして位置決めして仮取付けする場合がある。
この場合、前記従来の外装材取付治具では対応できない。すなわち、従来の外装材取付治具には、外装材がその上端を位置決め部に当接させた状態で固定されるので、このようにして外装材が固定された外装材取付治具の支持部を縦胴縁の上端面に載置すると、外装材の上端が胴縁の上端より上方に位置することになる。したがって、縦胴縁に、外装材をその上端が縦胴縁の上端より下方に位置するようにして位置決めして仮取付けすることができない。
【０００６】
本発明は上記事情に鑑みてなされたもので、壁の表面に固定された縦胴縁に、外装材をその上端が縦胴縁の上端より下方に位置するようにして位置決めして仮取付けすることができる外装材取付治具および外装材取付け方法を提供することを課題としている。
【課題を解決するための手段】
【０００７】
上記課題を解決するために、請求項１に記載の発明は、例えば図１〜図１０に示すように、壁（壁パネル）２の表面に固定された縦胴縁３に、外装材４をその上端が前記縦胴縁３の上端より下方に位置するようにして位置決めして仮取付けする外装材取付治具１，１８であって、
前記縦胴縁３の上端面に載置される支持部１０，２０と、
前記支持部１０，２０より下方に突出して設けられ、下端面に外装材４の上端面が当接されることで、前記支持部１０，２０に対する前記外装材４の上端の位置を位置決めする位置決め部１１，２１と、
前記位置決め部１１，２１より下方に突出して設けられ、前記位置決め部１１，２１の下端面に上端面が当接された前記外装材４をその裏面側から受ける受け面１２ａ，２２ａを備えた受部１２，２２と、
前記支持部１０，２０または前記位置決め部１１，２１に設けられて、前記外装材４を前記受け面１２ａ，２２ａに押圧固定する押圧固定部１３，２３とを備えていることを特徴とする。
【０００８】
請求項１に記載の発明によれば、外装材４を、その上端面を位置決め部１１，２１の下端面に当接させた状態で押圧固定部１３，２３によって受け面１２ａ，２２ａに押圧固定することによって、支持部１０，２０に対する外装材４の上端の位置を位置決めできる。
そして、外装材４が位置決めされて取り付けられた外装材取付け治具１，１８の支持部１０，２０を、壁表面に固定されている縦胴縁３の上端面に載置することによって、外装材４をその上端が縦胴縁３の上端より下方に位置するようにして位置決めして仮取付けすることができる。
【０００９】
請求項２に記載の発明は、例えば図１〜図５に示すように、請求項１に記載の外装材取付治具１において、
前記押圧固定部１３は、前記受部１２に対向離間して設けられた対向部１５と、
この対向部１５に、前記受け面１２ａに対して接離可能に設けられた接離部材１６と、
この接離部材１６の先端部に設けられて、前記対向部１５と前記受部１２との間に挿入された外装材４の上端部を前記受け面１２ａに押圧可能な押圧部１７とを備えていることを特徴とする。
【００１０】
請求項２に記載の発明によれば、接離部材１６を受け面１２ａに接近させることによって、押圧部１７が受け面１２ａに接近するので、対向部１５と受部１２との間に挿入された外装材４の上端部を押圧部１７によって受け面１２ａに押圧して固定できる。
また、接離部材１６を受け面１２ａから離間させる方向に移動させることによって、押圧部１７が外装材４の上端部から離間するので、押圧部１７による外装材４の固定を容易に解除して、外装材取付治具１を外装材４から切り離すことができる。
できる。
【００１１】
請求項３に記載の発明は、例えば図６〜図１０に示すように、請求項１に記載の外装材取付治具１８において、
前記押圧固定部２３は、前記支持部２０または位置決め部２１に、一端部を支点として回動自在に取り付けられ、回動することによって他端部が前記受け面２２ａに接離可能な回動レバー２５と、
この回動レバー２５の他端部に設けられて、前記外装材４の上端部を前記受け面２２ａに押圧可能な押圧部２６とを備えていることを特徴とする。
【００１２】
請求項３に記載の発明によれば、回動レバー２５を回動させて、その他端部を受け面２２ａに接近させることによって、押圧部２６が受け面２２ａに接近するので、外装材４の上端部を押圧部２６によって受け面２２ａに押圧して固定できる。
また、回動レバー２５を回動させて、その他端部を受け面２２ａから離間させることによって、押圧部２６が外装材４の上端部から離間するので、押圧部２６による外装材４の固定を容易に解除して、外装材取付治具１８を外装材４から切り離すことができる。
【００１３】
請求項４に記載の発明は、例えば図１〜図１０に示すように、請求項２または３に記載の外装材取付治具１，１８において、
前記支持部１０，２０は、前記壁２の表面に固定された隣り合う縦胴縁３，３間の距離より長いことを特徴とする。
【００１４】
請求項４に記載の発明によれば、支持部１０，２０が、壁２の表面に固定された隣り合う縦胴縁３，３間の距離より長いので、支持部１０，２０を隣り合う双方の縦胴縁３，３の上端面に載置できる。したがって、外装材取付治具１，１８を縦胴縁３，３に安定的にセットできる。
【００１５】
請求項５に記載の発明は、例えば図１〜図１０に示すように、請求項１〜４のいずれかに記載の外装材取付治具１，１８を用いて、外装材４を壁２に仮取付けする外装材の取付け方法であって、
まず、前記外装材取付治具１，１８に、前記外装材４を、その上端面を前記位置決め部１０，２０の下端面に当接させた状態で、前記押圧固定部１３，２３によって前記受け面１２ａ，２２ａに押圧固定することにより取り付けておき、
前記壁表面に複数の縦胴縁３・・・を左右に所定間隔で、かつ上端位置を揃えて固定した後、前記外装材４が取付けられた前記外装材取付治具１，１８の支持部１０，２０を前記縦胴縁３・・・の上端面に載置することで、前記外装材４を前記壁２に仮取付けすることを特徴とする。
【００１６】
請求項５に記載の発明によれば、外装材４を、その上端面を位置決め部１１，２１の下端面に当接させた状態で押圧固定部１３，２３によって受け面１２ａ，２２ａに押圧固定することによって、支持部１０，２０に対する外装材４の上端の位置を位置決めできる。
そして、壁表面に複数の縦胴縁３・・・を左右に所定間隔で、かつ上端位置を揃えて固定した後、前記外装材４が取付けられた前記外装材取付治具１，１８の支持部１０，２０を前記縦胴縁３・・・の上端面に載置することによって、外装材４をその上端が縦胴縁３・・・の上端より下方に位置するようにして位置決めして仮取付けすることができる。
【発明の効果】
【００１７】
本発明によれば、縦胴縁の上端面に載置される支持部と、この支持部より下方に突出して設けられ、下端面に外装材の上端面が当接されることで、前記支持部に対する前記外装材の上端の位置を位置決めする位置決め部と、この位置決め部より下方に突出して設けられ、前記位置決め部の下端面に上端面が当接された前記外装材をその裏面側から受ける受け面を備えた受部と、前記支持部または前記位置決め部に設けられて、前記外装材を前記受け面に押圧固定する押圧固定部とを備えているので、外装材を、その上端面を位置決め部の下端面に当接させた状態で押圧固定部によって受け面に押圧固定することによって、支持部に対する外装材の上端の位置を位置決めできる。
そして、外装材が位置決めされて取り付けられた外装材取付け治具の支持部を、壁表面に固定されている縦胴縁の上端面に載置することによって、外装材をその上端が縦胴縁の上端より下方に位置するようにして位置決めして仮取付けすることができる。
【図面の簡単な説明】
【００１８】
【図１】本発明に係る外装材取付治具の一例を示すもので、斜視図である。
【図２】同、側面図である。
【図３】同、外装材取付治具によって、外装材を壁パネルに仮取付けした状態を示す正面図である。
【図４】同、図３におけるＡ−Ａ線断面図である。
【図５】同、図３におけるＢ−Ｂ線断面図である。
【図６】本発明に係る外装材取付治具の他の例を示すもので、斜視図である。
【図７】同、側面図である。
【図８】同、外装材取付治具によって、外装材を壁パネルに仮取付けした状態を示す正面図である。
【図９】同、図８におけるＣ−Ｃ線断面図である。
【図１０】同、図８におけるＤ−Ｄ線断面図である。
【発明を実施するための形態】
【００１９】
以下図面を参照して本発明の実施の形態について説明する。
（第１の実施の形態）
図１は本発明に係る外装材取付治具１の一例を示す斜視図、図２は同側面図、図３は外装材取付治具１によって、外装材を壁パネル（壁）に仮取付けした状態を示す正面図、図４は図３におけるＡ−Ａ線断面図、図５は図３におけるＢ−Ｂ線断面図である。
【００２０】
これらの図に示すように、本実施の形態の外装材取付治具１は、壁パネル（壁）２の表面に固定された縦胴縁３に、外装材４をその上端が前記縦胴縁３の上端より下方に位置するようにして位置決めして仮取付けするものである。
壁パネル２は、図３〜図５に示すように、框材２ａを矩形枠状に組み立ててなる矩形枠の内部に補強桟材を縦横に組み付け、さらに前記矩形枠の両面に合板等からなる面材２ｂ，２ｂを取り付けたものである。
このような壁パネル２の表面には、前記縦胴縁３が複数固定されている。縦胴縁３は上下に長尺な板材で形成されたものであり、その長手方向を上下に向けて壁パネル２の表面に、固定されている。また、縦胴縁３・・・は左右に所定間隔でかつ互いに平行に配置されている。また、縦胴縁３・・・は上端位置を揃えて固定されている。つまり、複数の縦胴縁３の上端面は等しい高さ位置に配置されている。
なお、図３に示すように、壁パネル２の下端部には、斜め胴縁５が水平面に対して傾斜して固定されており、この斜め胴縁５より下側に下屋が取り付くようになっている。そして、前記縦胴縁３・・・は下方に延在して、下端が斜め胴縁５の近傍に位置している。また、隣り合う縦胴縁３，３間には、複数の補助胴縁６・・・が上下に所定間隔で固定されている。これら補助胴縁６・・・のうち、最上段に位置する補助胴縁６の上端は、前記縦胴縁３の上端に揃えられている。
また、外装材４は、上下に長尺な矩形板状に形成されており、その下端部は、前記斜め胴縁５の傾斜方向に合せて斜めにカットされている。
【００２１】
前記外装材取付治具１は、図１および図２に示すように、支持部１０、位置決め部１１、受部１２、押圧固定部１３とを備えている。
支持部１０は、縦胴縁３の上端面および最上段の補助胴縁６の上端面に載置されるものであり、左右に長尺な板材で形成されている。支持部１０の厚さは、縦胴縁３および補助胴縁６の厚さと等しくなっており、長さは隣り合う縦胴縁３，３間の距離より長く、かつ、外装材４の左右の幅より短くなっている。
【００２２】
前記位置決め部１１は、支持部１０より下方に突出して設けられ、下端面に外装材４の上端面が当接されることで、支持部１０の下面（縦胴縁３の上端面および最上段の補助胴縁６の上端面に載置される下面）に対する外装材４の上端の位置を位置決めするものである。位置決め部１１は、四角柱状の部材によって形成されており、その下部を支持部１０より下方に突出させて、該支持部１０の表面に固定されている。したがって、位置決め部１１の下端面は、支持部１０の下面より所定長さ（取り付けられるべき外装材４の上端と縦胴縁３の上端との間の距離）だけ下方に位置している。また、位置決め部１１は左右に離間して二つ平行に配置され、それぞれ前記支持部１０の表面に固定されている。
また、前記支持部１０と平行に、板材１４が配置されている。この板材１４は支持部１０と同形、同大のものであり、前記位置決め部１１に固定されている。換言すると、支持部１０と板材１４とが平行離間して配置されるとともに、その間に位置決め部１１，１１が配置され、これら位置決め部１１，１１が支持部１０と板材１４とに挟まれた状態で、該支持部１０と板材１４に固定されている。
【００２３】
前記受部１２は、前記位置決め部１１より下方に突出して設けられ、位置決め部１１の下端面に上端面が当接された外装材４をその裏面側から受ける受け面１２ａを備えたものである。
受部１２は、上下に長尺な板材で形成されたものであり、その上端面が支持部１０の下面に固定され、上端部表面が前記位置決め部１１の表面の略下半分に固定されている。また、受部１２の厚さは、支持部１０の厚さと等しくなっており、前記受け面１２ａは、受部１２の表面で構成され、支持部１０の表面と面一な平面となっている。
また、受部１２は左右に離間して二つ平行に配置され、それぞれ前記位置決め部１１の表面と、支持部１０の下面に固定されている。なお、二つの受部１２，１２の受け面１２ａ，１２ａは面一となっている。
【００２４】
前記押圧固定部１３は、前記位置決め部１１に設けられて、前記外装材４を前記受け面１２ａに押圧固定するものであり、前記受部１２に対向離間して設けられた対向部１５と、この対向部１５に、受け面１２ａに対して接離可能に設けられた接離部材１６と、この接離部材１６の先端部に設けられて、前記対向部１５と前記受部１２との間に挿入された外装材４の上端部を受け面１２ａに押圧可能な押圧部１７とによって構成されている。
前記対向部１５は、上下に長尺な板材で形成されたものであり、その上端面が板材１４の下面に固定され、上端部裏面が前記位置決め部１１の略下半分に固定されている。また、対向部１５は、受け部１２と同形同大に形成されており、その下端部にはねじ穴が貫通して形成されている。
【００２５】
前記接離部材１６は、前記ねじ穴に螺合された軸部１６ａと、この軸部１６ａの基端部に設けられたハンドル部１６ｂとから構成されており、ハンドル部１６ｂを回転させることによって、軸部１６ａが前記受け面１２ａに対して接近離間するようになっている。
そして、この軸部１６ａの先端部に円板状の押圧部１７が設けられている。押圧部１７は硬質ゴム等の弾性部材で形成されており、前記軸部１６ａが受け面１２ａに接近することによって、外装材４の上端部の表面に当接してこれを押圧することによって、外装材４の上端部を受け面１２ａに押圧固定するようになっている。
このような構成の押圧固定部１３は、二つの位置決め部１１，１１にそれぞれ設けられている。
【００２６】
次に、上記構成の外装材取付治具１を用いて、外装材４を壁パネル２に仮取り付けする方法について説明する。
まず、外装材取付治具１に、外装材４を以下のようにして取り付ける。
すなわち、外装材取付治具１の受部１２と対向部１５との間に、外装材４の上端部を挿入するとともに、外装材４の上端面を位置決め部１１，１１の下端面に当接する。また、外装材４の上端部裏面を受け部１２の受け面１２ａに当接する。さらに、外装材４は、その幅方向の中央部と、外装材取付治具１の支持部１０の長手方向中央部とがほぼ一致するようにして、配置する。支持部１０の長さは、外装材４の幅より短いので、外装材４の側端部は支持部１０の両端部から少しはみ出している。
【００２７】
そして、押圧固定部１３のハンドル部１６ｂを手で締める方向に回転させて、軸部１６ａを受け面１２ａに向けて接近させることによって、押圧部１７を外装材４の上端部の表面に当接してこれを押圧することによって、外装材４の上端部を受け面１２ａに押圧固定する。このようにして、外装材取付治具１に外装材４を取り付ける。
なお、外装材４を複数枚、壁パネル２に仮取り付けする場合、外装材４の数だけ外装材取付治具１を用意しておき、各外装材取付治具１に外装材４を上記のようにして取り付ける。
【００２８】
一方、前記壁パネル２の表面に、複数の縦胴縁３・・・を左右に所定間隔で、かつ上端位置を揃えて固定しておく。
次に、外装材４が取付けられた外装材取付治具１の支持部１０を縦胴縁３・・・の上端面に載置することで、前記外装材４を前記壁パネル２に仮取付けする。この場合、隣り合う縦胴縁３，３間に、外装材取付治具１の受部１２，１２が位置するようにして、外装材取付治具１を配置したうえで、隣り合う縦胴縁３，３の上端面に、支持部１０の下面を載置する。
同様にして、次の外装材４が取り付けられた外装材取付治具１の支持部１０を次の隣り合う縦胴縁３，３の上端面に載置することで、該外装材４を前記壁パネル２に仮取付けする。この際、この外装材４の側端部を、前に仮取り付けられた外装材４の側端部に当接する。以下、同様にして必要な数だけ外装材４を壁パネル２に仮取り付けしていく。
そして、壁パネル２に必要枚数の外装材４を仮取り付けした後、これら外装材４を釘等の止着材によって、縦胴縁３および補助胴縁６に本取り付けする。
その後、各外装材取付治具１の押圧固定部１３のハンドル部１６ｂを手で緩める方向に回転させて、軸部１６ａを受け面１２ａから離間させる方向に移動させることによって、押圧部１７を外装材４の上端部から離間させて、押圧部１７による外装材４の固定を解除して、外装材取付治具１を外装材４から切り離して、外装材４の取り付けを終了する。
【００２９】
本実施の形態によれば、外装材取付治具１に外装材４を、その上端面を位置決め部１１の下端面に当接させた状態で押圧固定部１３によって受け面１２ａに押圧固定することによって、支持部１０に対する外装材４の上端の位置を位置決めして、取り付けることができる。
そして、このようにして外装材４が位置決めされて取り付けられた外装材取付治具１の支持部１０を、壁パネル２の表面に固定されている縦胴縁３および補助胴縁６の上端面に載置することによって、外装材４をその上端が縦胴縁３の上端より下方に位置するようにして位置決めして仮取付けすることができる。
【００３０】
また、接離部材１６の軸部１６ａを受け面１２ａに接近させることによって、押圧部１７が受け面１２ａに接近するので、対向部１５と受部１２との間に挿入された外装材４の上端部を押圧部１７によって受け面１２ａに押圧して固定できる。
また、接離部材１６の軸部１６ａを受け面から離間させる方向に移動させることによって、押圧部１７が外装材４の上端部から離間するので、押圧部１７による外装材の固定を容易に解除して、外装材取付治具１を外装材４から切り離すことができる。
さらに、支持部１０が、壁パネル２の表面に固定された隣り合う縦胴縁３，３間の距離より長いので、支持部１０を隣り合う双方の縦胴縁３，３の上端面に載置できる。したがって、外装材取付治具１を縦胴縁３，３に安定的にセットできる。
【００３１】
（第２の実施の形態）
図６は本発明に係る外装材取付治具１８の他の例を示す斜視図、図７は同側面図、図８は外装材取付治具１によって、外装材を壁パネル（壁）に仮取付けした状態を示す正面図、図９は図８におけるＣ−Ｃ線断面図、図１０は図８におけるＤ−Ｄ線断面図である。
【００３２】
これらの図に示すように、本実施の形態の外装材取付治具１８は、壁パネル（壁）２の表面に固定された縦胴縁３に、外装材４をその上端が前記縦胴縁３の上端より下方に位置するようにして位置決めして仮取付けするものである。
前記外装材取付治具１８は、図６および図７に示すように、支持部２０、位置決め部２１、受部２２、押圧固定部２３とを備えている。
支持部２０は、縦胴縁３の上端面および最上段の補助胴縁６の上端面に載置されるものであり、左右に長尺な板材で形成されている。支持部１０の厚さは、縦胴縁３および補助胴縁６の厚さと等しくなっており、長さは隣り合う縦胴縁３，３間の距離より長く、かつ、外装材４の左右の幅より短くなっている。
【００３３】
前記位置決め部２１は、支持部２０より下方に突出して設けられ、下端面に外装材４の上端面が当接されることで、支持部２０の下面（縦胴縁３の上端面および最上段の補助胴縁６の上端面に載置される下面）に対する外装材４の上端の位置を位置決めするものである。位置決め部１１は、上下に長尺な板材によって形成されており、その下部を支持部１０より下方に突出させて、該支持部２０の表面にボルトによって固定されている。したがって、位置決め部２１の下端面は、支持部２０の下面より所定長さ（取り付けられるべき外装材４の上端と縦胴縁３の上端との間の距離）だけ下方に位置している。また、位置決め部２１は左右に離間して二つ平行に配置され、それぞれ前記支持部２０の表面に固定されている。
【００３４】
前記受部２２は、前記位置決め部２１より下方に突出して設けられ、位置決め部２１の下端面に上端面が当接された外装材４をその裏面側から受ける受け面２２ａを備えたものである。
受部２２は、上下に長尺な板材で形成されたものであり、その上端面が支持部２０の下面に固定され、上端部表面が前記位置決め部２１の裏面の略下半分にボルトによって固定されている。また、受部２２の厚さは、支持部２０の厚さと等しくなっており、前記受け面２２ａは、受部２２の表面で構成され、支持部２０の表面と面一な平面となっている。
また、受部２２は左右に離間して二つ平行に配置され、それぞれ前記位置決め部２１の裏面と、支持部２０の下面に固定されている。なお、二つの受部２２，２２の受け面２２ａ，２２ａは面一となっている。
【００３５】
前記押圧固定部２３は、前記位置決め部２１に設けられて、前記外装材４を前記受け面２２ａに押圧固定するものであり、位置決め部２２に、一端部を支点として回動自在に取り付けられ、回動することによって他端部が前記受け面２２ａに接離可能な回動レバー２５と、この回動レバー２５の他端部に設けられて、外装材４の上端部を受け面２２ａに押圧する押圧部２６とを備えている。
前記位置決め部２２の表面下部には、ブラケット２７が位置決め部２２の表面と直角に固定されており、このブラケット２７の先端部に、前記回動レバー２５の一端部が回動自在に連結され、これによって、回動レバー２５は一端部を支点として回動自在となっている。回動レバー２５の他端部には、外周部に雄ねじが形成された取付軸２８が螺合されており、この取付軸２８の先端部に、硬質ゴム等の弾性部材で形成された前記押圧部２６が取り付けられている。そして、この取付軸２８を軸回りに回転させることによって、回動レバー２５の他端部に対する押圧部２６の突出量を調整できるようになっている。
【００３６】
また、前記ブラケット２７には、操作レバー３０の一端部が回動自在に連結されており、これによって、操作レバー３０は一端部を支点として回動自在となっている。この操作レバー３０と回動レバー２５とはリンク部材３１によって連結されている。すなわち、リンク部材３１の一端部が前記操作レバー３０に回動自在に連結されており、他端部が前記回動レバー２５に回動自在に連結されている。
そして、回動レバー２５は、操作レバー３０の他端部を手で持って支持部２０側に向けて引き上げることによって、リンク部材３１を介して、押圧部２６が前記受け面２２ａから離間するように回動するようになっている。また、回動レバー２５は、操作レバー３０を支持部２０から離間する方向に引き起こすことによって、リンク部材３１を介して、押圧部２６が受け面２２ａに接近する方向に回動して、外装材４の上端部の表面に当接してこれを押圧することによって、外装材４の上端部を受け面２２ａに押圧固定するようになっている。
このような構成の押圧固定部２３は、二つの位置決め部２１，２１にそれぞれ設けられている。
【００３７】
次に、上記構成の外装材取付治具１８を用いて、外装材４を壁パネル２に仮取り付けする方法について説明する。
まず、外装材取付治具１８に、外装材４を以下のようにして取り付ける。
すなわち、外装材取付治具１８の位置決め部２１，２１の下端面に、外装材４の上端面を当接するとともに、外装材４の上端部裏面を受け部２２の受け面２２ａに当接する。さらに、外装材４は、その幅方向の中央部と、外装材取付治具１８の支持部２０の長手方向中央部とがほぼ一致するようにして、配置する。支持部２０の長さは、外装材４の幅より短いので、外装材４の側端部は支持部２０の両端部から少しはみ出している。
【００３８】
そして、押圧固定部２３の操作レバー３０を支持部２０から離間する方向に引き起こすことによって、リンク部材３１を介して、押圧部２６を受け面２２ａに接近する方向に回動させ、外装材４の上端部の表面に当接させてこれを押圧することによって、外装材４の上端部を受け面２２ａに押圧固定する。このようにして、外装材取付治具１８に外装材４を取り付ける。
なお、外装材４を複数枚、壁パネル２に仮取り付けする場合、外装材４の数だけ外装材取付治具１８を用意しておき、各外装材取付治具１８に外装材４を上記のようにして取り付ける。
【００３９】
一方、前記壁パネル２の表面に、複数の縦胴縁３・・・を左右に所定間隔で、かつ上端位置を揃えて固定しておく。
次に、外装材４が取付けられた外装材取付治具１８の支持部２０を縦胴縁３・・・の上端面に載置することで、前記外装材４を前記壁パネル２に仮取付けする。この場合、隣り合う縦胴縁３，３間に、外装材取付治具１８の受部２２，２２が位置するようにして、外装材取付治具１８を配置したうえで、隣り合う縦胴縁３，３の上端面に、支持部２０の下面を載置する。
同様にして、次の外装材４が取り付けられた外装材取付治具１８の支持部２０を次の隣り合う縦胴縁３，３の上端面に載置することで、該外装材４を前記壁パネル２に仮取付けする。この際、この外装材４の側端部を、前に仮取り付けられた外装材４の側端部に当接する。以下、同様にして必要な数だけ外装材４を壁パネル２に仮取り付けしていく。
そして、壁パネル２に必要枚数の外装材４を仮取り付けした後、これら外装材４を釘等の止着材によって、縦胴縁３および補助胴縁６に本取り付けする。
その後、各外装材取付治具１８の操作レバー３０を支持部２０側に向けて引き上げることによって、リンク部材３１を介して、押圧部２６を前記受け面２２ａから離間するように回動させて、押圧部２６による外装材４の固定を解除して、外装材取付治具１８を外装材４から切り離して、外装材４の取り付けを終了する。
【００４０】
本実施の形態によれば、外装材取付治具１８に外装材４を、その上端面を位置決め部２１の下端面に当接させた状態で押圧固定部２３によって受け面２２ａに押圧固定することによって、支持部２０に対する外装材４の上端の位置を位置決めして、取り付けることができる。
そして、このようにして外装材４が位置決めされて取り付けられた外装材取付治具１８の支持部２０を、壁パネル２の表面に固定されている縦胴縁３および補助胴縁６の上端面に載置することによって、外装材４をその上端が縦胴縁３の上端より下方に位置するようにして位置決めして仮取付けすることができる。
【００４１】
また、回動レバー２５を回動させて、その他端部を受け面２２ａに接近させることによって、押圧部２６が受け面２２ａに接近するので、外装材４の上端部を押圧部２６によって受け面２２ａに押圧して固定できる。また、回動レバー２５を回動させて、その他端部を受け面２２ａから離間させることによって、押圧部２６が外装材４の上端部から離間するので、押圧部２６による外装材４の固定を容易に解除して、外装材取付治具１８を外装材４から切り離すことができる。
さらに、支持部２０が、壁パネル２の表面に固定された隣り合う縦胴縁３，３間の距離より長いので、支持部２０を隣り合う双方の縦胴縁３，３の上端面に載置できる。したがって、外装材取付治具１８を縦胴縁３，３に安定的にセットできる。
また、押圧固定部２３の取付軸２８を軸回りに回転させることによって、回動レバー２５の他端部に対する押圧部２６の突出量を調整できるので、受け面２２ａに押圧固定される外装材４の厚さに応じて、押圧部２６の突出量を調整して、外装材４の上端部を適切な力で押圧できる。
【符号の説明】
【００４２】
１，１８  外装材取付治具
２  壁パネル（壁）
３  縦胴縁
４  外装材
１０，２０  支持部
１１，２１  位置決め部
１２，２２  受部
１２ａ，２２ａ  受け面
１３，２３  押圧固定部
１５  対向部
１６  接離部材
１７  押圧部
２５  回動レバー
２６  押圧部
【図１】
2010265587.tif 000003
【図２】
2010265587.tif 000004
【図３】
2010265587.tif 000005
【図４】
2010265587.tif 000006
【図５】
2010265587.tif 000007
【図６】
2010265587.tif 000008
【図７】
2010265587.tif 000009
【図８】
2010265587.tif 000010
【図９】
2010265587.tif 000011
【図１０】
2010265587.tif 000012